(57)【特許請求の範囲】
【請求項１】
液体を充填可能な胴部と、前記胴部の先端部に取り付けられ、前記液体を排出する針とを有するシリンジと、前記針を覆うキャップと、前記シリンジの少なくとも基端部を覆うハウジングとを備え、前記キャップの外周面または前記ハウジングと前記キャップとの間に、前記胴部の側面よりも外側に突出した段差部が設けられた液体注入具を収納する包装体であって、
前記液体注入具を収納する収納空間と、前記収納空間から前記液体注入具を取り出すための開口部とを有し、前記開口部を封止する封止部材を取り付け可能な容器を備え、
前記容器は、前記液体注入具から前記キャップを取り外すために前記段差部と係合する係合部を有し、
前記容器は、底部と、前記底部の周囲から上方に延びる側壁部と、前記側壁部の上端に囲まれた前記開口部と、前記側壁部の上端から側方に延び、前記封止部材を取り付けるためのフランジ部とを有し、
前記フランジ部の一部に、側方に向かって開口した切欠部が設けられており、
前記切欠部の下端面が前記係合部として機能することを特徴とする包装体。
【請求項２】
前記切欠部は、前記封止部材で覆われる部分に設けられている請求項１に記載の包装体。
【請求項３】
長尺形状をなす前記液体注入具を収納するための前記包装体であって、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記切欠部は、前記長軸方向における前記フランジ部の端部に設けられている請求項１または２に記載の包装体。
【請求項４】
長尺形状をなす前記液体注入具を収納するための前記包装体であって、
前記底部に対して垂直方向における前記容器の前記底部から前記フランジ部までの距離は、前記液体注入具の軸方向における前記キャップの先端から前記段差部までの距離以上である請求項１ないし３のいずれか１項に記載の包装体。
【請求項５】
長尺形状をなす前記液体注入具を収納するための前記包装体であって、
前記切欠部は、前記段差部の前記液体注入具の軸を挟んで対向する部分に前記係合部が係合可能なように設けられている請求項１ないし４のいずれか１項に記載の包装体。
【請求項６】
長尺形状をなす前記液体注入具を収納するための前記包装体であって、
前記段差部は、前記液体注入具の軸周りに１周に亘って設けられており、
前記切欠部は、前記段差部に沿う形状に形成されている請求項１ないし５のいずれか１項に記載の包装体。
【請求項７】
前記封止部材を有する請求項１ないし６のいずれか１項に記載の包装体。
【請求項８】
請求項７に記載の包装体と、
前記収納空間に収納された前記液体注入具とを有し、
前記封止部材により前記開口部が封止されていることを特徴とする包装組立体。
【発明の詳細な説明】
【技術分野】
【０００１】
本発明は、包装体および包装組立体に関するものである。
【背景技術】
【０００２】
薬液を生体に投与する際、コイルバネの付勢力により、プランジャが先端方向に押圧され、自動的にプランジャが先端方向に移動するよう構成されたオートインジェクタ等の液体注入具が知られている（例えば、特許文献１参照）。液体注入具の先端部には、キャップが着脱可能に装着されており、これにより、液体注入具の中空針を保護することができ、また、前記中空針による誤穿刺等を防止することができる。この液体注入具によれば、高齢者等の握力の弱い人や、リウマチ患者等の手指が不自由な人でも容易かつ確実に薬液を投与することができる。【０００３】
このような液体注入具は、例えば、特許文献２に記載のブリスター包装体等に収納されている。これにより、輸送時に液体注入具を保護したり、液体注入具からの薬液の水分蒸散を防止したり、液体注入具の周囲の無菌状態を維持したりすることができる。液体注入具を使用する際は、液体注入具を包装体から取り出し、先端に装着されているキャップを手指で摘まんで取り外す。【０００４】
しかしながら、高齢者等の握力の弱い人や、リウマチ患者等の手指が不自由な人は、キャップを手指で摘まんで取り外すのが難しいという問題がある。
【先行技術文献】
【特許文献】
【０００５】
【特許文献１】国際公開第２０１２／１３７８０３号公報
【特許文献２】特表２００７−５３６０４７号公報
【発明の概要】
【発明が解決しようとする課題】
【０００６】
本発明の目的は、収納されたオートインジェクタ等の液体注入具のキャップを容易に取り外すことができる包装体および包装組立体を提供することにある。
【課題を解決するための手段】
【０００７】
このような目的は、下記（１）〜（１５）の本発明により達成される。
（１）  液体を充填可能な胴部と、前記胴部の先端部に取り付けられ、前記液体を排出する針とを有するシリンジと、前記針を覆うキャップと、前記シリンジの少なくとも基端部を覆うハウジングとを備え、前記キャップの外周面または前記ハウジングと前記キャップとの間に、前記胴部の側面よりも外側に突出した段差部が設けられた液体注入具を収納する包装体であって、
前記液体注入具を収納する収納空間と、前記収納空間から前記液体注入具を取り出すための開口部とを有し、前記開口部を封止する封止部材を取り付け可能な容器を備え、
前記容器は、前記液体注入具から前記キャップを取り外すために前記段差部と係合する係合部を有し、
前記容器は、底部と、前記底部の周囲から上方に延びる側壁部と、前記側壁部の上端に囲まれた前記開口部と、前記側壁部の上端から側方に延び、前記封止部材を取り付けるためのフランジ部とを有し、
前記フランジ部の一部に、側方に向かって開口した切欠部が設けられており、
前記切欠部の下端面が前記係合部として機能することを特徴とする包装体。
【０００９】
（２）  前記切欠部は、前記封止部材で覆われる部分に設けられている上記（１）に記載の包装体。
【００１０】
（３）  長尺形状をなす前記液体注入具を収納するための前記包装体であって、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記切欠部は、前記長軸方向における前記フランジ部の端部に設けられている上記（１）または（２）に記載の包装体。
【００１１】
（４）  長尺形状をなす前記液体注入具を収納するための前記包装体であって、
前記底部に対して垂直方向における前記容器の前記底部から前記フランジ部までの距離は、前記液体注入具の軸方向における前記キャップの先端から前記段差部までの距離以上である上記（１）ないし（３）のいずれかに記載の包装体。
【００１２】
（５）  長尺形状をなす前記液体注入具を収納するための前記包装体であって、
前記切欠部は、前記段差部の前記液体注入具の軸を挟んで対向する部分に前記係合部が係合可能なように設けられている上記（１）ないし（４）のいずれかに記載の包装体。
【００１３】
（６）  長尺形状をなす前記液体注入具を収納するための前記包装体であって、
前記段差部は、前記液体注入具の軸周りに１周に亘って設けられており、
前記切欠部は、前記段差部に沿う形状に形成されている上記（１）ないし（５）のいずれかに記載の包装体。
【００１４】
（７）  液体を充填可能な胴部と、前記胴部の先端部に取り付けられ、前記液体を排出する針とを有するシリンジと、前記針を覆うキャップと、前記シリンジの少なくとも基端部を覆うハウジングとを備え、前記キャップの外周面または前記ハウジングと前記キャップとの間に、前記胴部の側面よりも外側に突出した段差部が設けられた液体注入具を収納する包装体であって、
前記液体注入具を収納する収納空間と、前記収納空間から前記液体注入具を取り出すための開口部とを有し、前記開口部を封止する封止部材を取り付け可能な容器を備え、
前記容器は、前記液体注入具から前記キャップを取り外すために前記段差部と係合する係合部を有し、
前記容器は、底部と、前記底部の周囲から上方に延びる側壁部と、前記側壁部の上端に囲まれた前記開口部と、前記側壁部の内面から前記収納空間に突出する突出部とを有し、
前記突出部の下端面は、前記底部に対して垂直方向に、前記液体注入具の軸方向における前記キャップの先端から前記段差部までの距離以上に前記底部から離間しており、前記係合部として機能することを特徴とする包装体。
【００１５】
（８）  長尺形状をなす前記液体注入具を収納するための前記包装体であって、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記突出部は、前記長軸方向における前記側壁部の端部近傍に設けられている上記（７）に記載の包装体。
【００１６】
（９）  長尺形状をなす前記液体注入具を収納するための前記包装体であって、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記突出部は、前記短軸方向において対向し、かつ、前記段差部の前記液体注入具の軸を挟んで対向する部分に前記係合部が係合可能なように少なくとも１対設けられている上記（７）または（８）に記載の包装体。
【００１７】
（１０）  長尺形状をなす前記液体注入具を収納するための前記包装体であって、
前記開口部は、長手形状をなし、
前記液体注入具を、前記液体注入具の軸が前記開口部の長手方向と略平行な状態で前記収納空間に収納可能なように、前記容器は、前記底部に対して垂直方向から見た平面視において長軸と短軸とを有する形状であり、
前記容器は、前記突出部と前記長軸方向に隣接する前記収納空間に、前記液体注入具の軸と前記底部とが略垂直な状態で、前記キャップの少なくとも前記段差部よりも先端側の部分を挿入可能なキャップ挿入部を有し、
前記キャップ挿入部に挿入された前記キャップを、前記長軸方向に前記突出部に向かって移動させることにより、前記係合部が前記段差部の前記液体注入具の軸を挟んで対向する部分に係合可能となる上記（７）ないし（９）のいずれかに記載の包装体。
【００１８】
（１１）  前記容器は、前記キャップ挿入部に対して、前記突出部を挟んで前記長軸方向の反対側に、前記キャップ挿入部に挿入された前記キャップの移動を規制する移動規制部を有する上記（１０）に記載の包装体。
【００１９】
（１２）  前記突出部は、前記開口部の近傍に設けられている上記（７）ないし（１１）のいずれかに記載の包装体。
【００２０】
（１３）  前記収納空間は、前記収納空間に収納された前記液体注入具の前記キャップを収納するキャップ収納空間を有し、
前記突出部は、前記側壁部の前記キャップ収納空間を形成する部分に設けられている上記（７）ないし（１２）のいずれかに記載の包装体。
【００２１】
（１４）  前記封止部材を有する上記（１）ないし（１３）のいずれかに記載の包装体。
【００２２】
（１５）  上記（１４）に記載の包装体と、
前記収納空間に収納された前記液体注入具とを有し、
前記封止部材により前記開口部が封止されていることを特徴とする包装組立体。
【発明の効果】
【００２３】
本発明によれば、オートインジェクタ等の液体注入具からキャップを取り外す際、包装体の係合部にキャップの段差部を係合させることにより、キャップを容易かつ確実に取り外すことができる。【００２４】
また、段差部は、胴部の側面よりも外側に突出しているので、容易に係合部に段差部を係合させることができる。
【図面の簡単な説明】
【００２５】
【図１】図１は、本発明の包装組立体の実施形態を示す斜視図である。
【図２】図２は、図１に示す包装組立体の封止部材を剥離した状態を示す斜視図である。
【図３】図３は、図１に示す包装組立体のキャップを取り外す際の操作手順を説明するための斜視図である。
【図４】図４は、図１に示す包装組立体のキャップを取り外す際の操作手順を説明するための斜視図である。
【図５】図５は、図１に示す包装組立体のキャップを取り外す際の操作手順を説明するための斜視図である。
【図６】図６は、図１に示す包装組立体のキャップを取り外す際の操作手順を説明するための断面図である。
【図７】図７は、図１に示す包装組立体のキャップを取り外す際の操作手順を説明するための断面図である。
【図８】図８は、図１に示す包装組立体のキャップを取り外す際の操作手順を説明するための斜視図である。
【図９】図９は、図１に示す包装組立体のキャップを取り外す際の操作手順を説明するための平面図である。
【図１０】図１０は、図１に示す包装組立体のキャップを取り外す際の操作手順を説明するための平面図である。
【図１１】図１１は、図１に示す包装組立体のキャップを取り外す際の操作手順を説明するための斜視図である。
【図１２】図１２は、図１に示す包装組立体のキャップを取り外す際の操作手順を説明するための断面図である。
【図１３】図１３は、図１に示す包装組立体のキャップを取り外す際の操作手順を説明するための断面図である。
【発明を実施するための形態】
【００２６】
以下、本発明の包装体および包装組立体を添付図面に示す実施形態に基づいて詳細に説明する。
【００２７】
図１は、本発明の包装組立体の実施形態を示す斜視図である。図２は、図１に示す包装組立体の封止部材を剥離した状態を示す斜視図である。図３〜図５、図８および図１１は、それぞれ、図１に示す包装組立体のキャップを取り外す際の操作手順を説明するための斜視図である。図９および図１０は、それぞれ、図１に示す包装組立体のキャップを取り外す際の操作手順を説明するための平面図である。図６、図７、図１２および図１３は、それぞれ、図１に示す包装組立体のキャップを取り外す際の操作手順を説明するための断面図である。
【００２８】
なお、以下では、説明の都合上、図１〜図８、図１１〜図１３中の上側を「上」または「上方」、下側を「下」または「下方」、右側を「右」、左側を「左」と言い、図９および図１０中の右側を「右」、左側を「左」と言う。また、説明の都合上、液体注入具の図２中の左側を「基端」、右側を「先端」と言い、液体注入具の図３〜図８、図１１〜図１３中の上側を「基端」、下側を「先端」と言う。
【００２９】
また、図６、図７、図１２および図１３では、押し子および第２のコイルバネの図示を省略している。また、図９および図１０では、液体注入具については、キャップのリムーバーの最外周の部分（部位）、すなわち外筒のみが図示されている。
【００３０】
図１および図２に示すように、包装組立体１は、液体注入具５と、その液体注入具５を収納する包装体２とを有している。
【００３１】
液体注入具５は、長尺形状をなし、薬液（液体）が予め充填されたオートインジェクタであり、その薬液を生体に注入する（投与する）際に用いられるものである。なお、薬液としては、特に限定されず、その使用目的に応じて適宜選択されるが、例えば、造血剤、ワクチン、ホルモン製剤、抗リウマチ剤、抗ガン剤、麻酔剤、血液凝固防止剤等が挙げられる。
【００３２】
図２、図６および図７に示すように、液体注入具５は、長尺形状をなす液体注入具本体６と、液体注入具本体６に着脱可能に装着されたキャップ７とを有している。液体注入具本体６にキャップ７が装着されていることにより、液体注入具本体６の後述する針６６を保護することができ、また、針６６による誤穿刺等を防止することができる。
【００３３】
液体注入具本体６は、有底筒状をなすハウジング６３と、ハウジングの内周側に配置されたシリンジ６１と、シリンジ６１を保持するシリンジホルダ６２と、シリンジ６１の後述する針６６の少なくとも先端部を覆う針カバー６４と、図示しない第１のコイルバネと、図示しない第２のコイルバネとを備えている。シリンジホルダ６２は、ハウジング６３に保持されている。また、ハウジング６３は、シリンジ６１の針６６以外の部分、すなわち、筒体６１１を覆っている。このハウジング６３は、薬液を生体に注入する際に把持する把持部でもある。なお、ハウジング６３は、シリンジ６１の少なくとも基端部を覆っていればよい。
【００３４】
シリンジ６１は、有底筒状をなし、薬液を充填可能な筒体６１１と、筒体６１１の先端部に取り付けられ、前記薬液を排出する針（中空針）６６と、筒体６１１内に設けられ、その筒体６１１内で摺動し得るガスケット６７と、ガスケット６７に連結された図示しない押し子とを有している。前記第１のコイルバネは、前記押し子を介してガスケット６７を先端方向に向かって付勢している。また、図示しない保持部が押し子に係合し、押し子の先端方向への移動が阻止されている。
【００３５】
筒体６１１は、底部を有する胴部６１２と、前記底部の中央部に設けられ、胴部６１２に対し縮径した縮径部６１３とを有しており、これらが一体的に形成されている。そして、縮径部６１３により、液体が出入り可能な口部が構成される。また、胴部６１２の先端部に設けられた縮径部６１３には、針６６が取り付けられている（固定されている）。
【００３６】
筒体６１１の内腔部、すなわち、筒体６１１とガスケット６７とで囲まれる空間であって、ガスケット６７の先端側に位置する空間内には、予め薬液が収納されている。
【００３７】
針６６は、中空の針管であり、先端に鋭利な針先を有し、針先で生体を穿刺することができる。針６６の内腔部は、筒体６１１の内腔部と連通しており、筒体６１１からの薬液が通過する流路として機能する。針６６の針先で生体を皮膚から所定の深さまで穿刺した後、体内にその針６６の流路を介して薬液が注入される。
【００３８】
針カバー６４は、先端開口を有し、ハウジング６３に、液体注入具５の軸方向に移動可能に設置されている。この針カバー６４は、針６６の少なくとも針先を覆う第１の位置（カバー位置）と、針６６の針先を露出させる第２の位置（退避位置）とに移動可能である。前記第２のコイルバネは、針カバー６４が第１の位置に位置し、針カバー６４の先端開口が針６６の針先よりも先端側に位置するように、針カバー６４を先端方向に向かって付勢している。
【００３９】
薬液を生体に注入する際は、液体注入具５のハウジング６３を把持し、液体注入具５からキャップ７を取り外した後、針カバー６４の先端部を生体表面の目的部位に押し付ける。これにより、針カバー６４は、基端方向に向かって第２の位置に移動し、針６６の針先が生体表面を穿刺する。そして、針カバー６４が第２の位置に移動すると、前記保持部と前記押し子との係合が外れ、前記第１のコイルバネの付勢力により、押し子を介してガスケット６７が先端方向に移動し、これにより、薬液が針６６から排出される。このように、この液体注入具５によれば、第１のコイルバネの付勢力により自動的にガスケット６７が先端方向に移動するので、高齢者等の握力の弱い人や、リウマチ患者等の手指が不自由な人でも容易かつ確実に薬液を投与することができる。
【００４０】
キャップ７は、針シールド部材７１と、針シールド部材７１の外周側に配置されたリムーバー７２とを有している。
【００４１】
針シールド部材７１は、針６６の針先を覆う針先保護部材７１１と、針先保護部材７１１を保持するカバー部材７１２とを有している。針先保護部材７１１は、例えば、ゴム材料等で構成されており、シリンジ６１の縮径部６１３に着脱自在に装着されている。また、針先保護部材７１１により、針６６の針先の開口が封止されている。なお、針先保護部材７１１およびカバー部材７１２の形状は、特に限定されないが、本実施形態では、有底筒状をなしている。
【００４２】
リムーバー７２は、外筒７２１と、外筒７２１の内側に、外筒７２１と同心的に配置された内筒７２２とを有している。また、内筒７２２の基端には、１対の腕部７２３が、基端側に向って突出し、かつ、液体注入具５の軸を挟んで互いに対向するように形成されている。また、各腕部７２３の基端部には、爪７２４が、液体注入具５の軸に向って突出するように形成されている。
【００４３】
前記針シールド部材７１のカバー部材７１２は、内筒７２２の内側に配置され、その内筒７２２に保持されている。また、各腕部７２３の爪７２４は、カバー部材７１２の基端に係合している。これにより、液体注入具５からキャップ７を取り外す際、リムーバー７２が液体注入具本体６に対して先端方向に移動すると、リムーバー７２とともに針シールド部材７１も先端方向に移動し、キャップ７を取り外すことができる。
【００４４】
このリムーバー７２は、液体注入具本体６のハウジング６３の先端部に装着されている。この場合、外筒７２１の基端部が、ハウジング６３の先端部の外周部に嵌合し、また、各腕部７２３の基端部が、ハウジング６３の先端部の内周部に嵌合している。このように、キャップ７が装着された状態の液体注入具５では、リムーバー７２は、ハウジング６３の先端部の内周面および外周面に当接しているので、液体注入具５からキャップ７を取り外す際、ハウジング６３に対してリムーバー７２が曲がることを阻止することができ、これにより、キャップ７で針６６が曲げられてしまうことを防止することができる。
【００４５】
また、ハウジング６３とキャップ７のリムーバー７２の外筒７２１との間には、胴部６１２の側面よりも外側に突出した段差部（第１の段差部）７２５が設けられている。この段差部７２５は、外筒７２１の基端部等で構成され、液体注入具５の軸周りに１周に亘って設けられており、液体注入具５からキャップ７を取り外す際、包装体２の後述する切欠部３３１または１対の突出部３６に係合する。
【００４６】
また、外筒７２１の先端部の外周面には、外筒７２１の基端部に対して縮径した縮径部と、その縮径部に対して拡径した拡径部とが形成されており、その縮径部と拡径部とで、胴部６１２の側面よりも外側に突出した段差部（第２の段差部）７２６が設けられている。この段差部７２６は、外筒７２１の外周面に、液体注入具５の軸周りに１周に亘って設けられており、液体注入具５からキャップ７を取り外す際、包装体２の後述する切欠部３３１または１対の突出部３６に係合する。なお、液体注入具５からキャップ７を取り外す際は、段差部７２５と段差部７２６とのいずれを切欠部３３１または１対の突出部３６に係合させてもよい。
【００４７】
また、リムーバー７２を手指で把持して先端方向に引き抜くことにより、液体注入具５からキャップ７を取り外すことができるが、段差部７２６は、その際に、手指を引っ掛ける指掛部として機能する。
【００４８】
次に、包装体２について説明する。
図１および図２に示すように、包装体２は、液体注入具５を収納する容器３と、容器３に離脱可能に取り付けられた封止部材４とを備えている。封止部材４は、シート状をなしている、すなわち、平坦な形状をなすシート材で構成されている。
【００４９】
図２および図３に示すように、容器３は、液体注入具５を収納可能、すなわち、液体注入具５を収納する後述の収納空間３４を確保することができる突出形状（ブリスター形状）に成形されている。すなわち、容器３は、底部３１と、底部３１の周囲から上方に延びる側壁部３２と、側壁部３２の上端から側方に延び、封止部材４を取り付けるためのフランジ部３３とを有している。そして、底部３１および側壁部３２により、その内側の部分に、液体注入具５を収納するための収納空間３４が形成され、収納空間３４の上端に、収納空間３４から液体注入具５を取り出すための開口部３５が形成されている。収納空間３４のうち、右側の端部は、液体注入具５のキャップ７を収納するキャップ収納空間３８である。なお、開口部３５は、側壁部３２の上端で囲まれている。
【００５０】
また、容器３の形状は、特に限定されないが、本実施形態では、底部３１に対して垂直方向から見た平面視（以下、平面視と言う）で、長軸および短軸を有する長手形状、すなわち、略長方形をなしている。なお、図２には、前記長軸の方向を「Ｘ」、前記短軸の方向を「Ｙ」で示す。
【００５１】
また、開口部３５の形状は、特に限定されないが、本実施形態では、平面視で、長軸および短軸を有する長手形状をなしている。
【００５２】
また、収納空間３４の形状は、特に限定されないが、液体注入具５を、液体注入具５の軸が開口部３５の長手方向と略平行な状態で収納空間３４に収納可能な形状をなしている。
【００５３】
また、前述したように、容器３の上端部の外周部には、その１周に亘って、フランジ部３３が形成されている。このフランジ部３３は、４辺のうち、左側の部分が他の部分よりも大きく形成されている。
【００５４】
また、容器３の長軸方向Ｘにおけるフランジ部３３の端部、すなわち、フランジ部３３の左側の部分には、側方に向かって開口した切欠部３３１が形成されている。この切欠部３３１の下端面は、液体注入具５からキャップ７を取り外すためにキャップ７の段差部７２５または７２６と係合する係合部として機能する（図４、図６参照）。これにより、液体注入具５を側方から切欠部３３１に近付けることで、キャップ７の段差部７２５または７２６を容易に切欠部３３１と係合させることができる。また、切欠部３３１は容器３の長軸方向Ｘにおけるフランジ部３３の端部に形成されているので、液体注入具５からキャップ７を取り外す際は、一方の手指で液体注入具５を把持し、段差部７２５または７２６を切欠部３３１に係合させた状態で、他方の手指で容器３を確実に押さえることができ、これにより、液体注入具５からキャップ７を容易に取り外すことができる。
【００５５】
以下、切欠部３３１について、段差部７２５、７２６との関係について説明するが、切欠部３３１と段差部７２５との関係と、切欠部３３１と段差部７２６との関係とは、同様であるので、代表的に、切欠部３３１と段差部７２５との関係について説明する。
【００５６】
切欠部３３１の形状は、切欠部３３１の下端面が段差部７２５に係合し得る形状であれば特に限定されないが、切欠部３３１は、段差部７２５の液体注入具５の軸を挟んで対向する部分に切欠部３３１の下端面（係合部）が係合可能なように設けられていることが好ましい。これにより、液体注入具５からキャップ７を取り外す際、切欠部３３１と段差部７２５との係合を中心に液体注入具５が回転し難くなり、確実にキャップ７を取り外すことができる。また、切欠部３３１は、段差部７２５に沿う形状に形成されていることが好ましい。これにより、切欠部３３１と段差部７２５とが確実に係合し、キャップ７をより確実に取り外すことができる。本実施形態では、切欠部３３１の形状は、円弧状をなしている。
【００５７】
また、容器３の底部３１に対して垂直方向における底部３１からフランジ部３３までの距離Ｌ１（図６参照）は、液体注入具５の軸方向におけるキャップ７の先端から段差部７２５までの距離Ｌ２（図６参照）以上である。これにより、液体注入具５からキャップ７を取り外す際、容器３を持ち上げることなく、底部３１を鉛直方向下方にして容器３をテーブル等に載置した状態で、切欠部３３１の下側に段差部７２５を配置することができ、容易に段差部７２５を切欠部３３１に係合させることができる。
【００５８】
また、フランジ部３３の上面は、封止部材４を取り付け可能な部位であり、そのフランジ部３３の上面に、封止部材４が、例えば、融着または接着等により、離脱可能に取り付けられている。これにより、封止部材４によりフランジ部３３が覆われるとともに、開口部３５が気密的に封止され、包装体２の内部の無菌状態を維持することができる。
【００５９】
また、包装体２から封止部材４を剥離する際は、封止部材４のうち、切欠部３３１の欠損している部分に対応する部分を把持することで、封止部材４を容易に剥離することができる。
【００６０】
また、容器３は、側壁部３２の内面から収納空間３４に突出する１対の突出部３６を有している。各突出部３６の下端面は、液体注入具５からキャップ７を取り外すためにキャップ７の段差部７２５または７２６と係合する係合部として機能する（図１０、図１２参照）。なお、突出部３６の数は、２つに限らず、例えば、１つでもよく、また、３つ以上でもよいが、２つ以上であることが好ましい。この各突出部３６が収納空間３４に配置されていることにより、液体注入具５からキャップ７を取り外した場合、キャップ７は収納空間３４に収納され、これにより、キャップ７が転がったりせず、廃棄し易い。
【００６１】
以下、突出部３６について、段差部７２５、７２６との関係について説明する場合は、突出部３６と段差部７２５との関係と、突出部３６と段差部７２６との関係とは、同様であるので、代表的に、突出部３６と段差部７２５との関係について説明する。
【００６２】
各突出部３６の下端面は、底部３１に対して垂直方向に、キャップ７の先端から段差部７２５までの距離Ｌ２（図１２参照）以上に底部３１から離間している。すなわち、容器３の底部３１に対して垂直方向における底部３１から各突出部３６までの距離Ｌ３（図１２参照）は、距離Ｌ２以上である。これにより、液体注入具５からキャップ７を取り外す際、容器３を変形させることなく、キャップ７を収納空間３４の突出部３６が形成された部分に挿入した状態で、突出部３６の下側に段差部７２５を配置することができ、容易に段差部７２５を切欠部３３１に係合させることができる。
【００６３】
また、各突出部３６は、容器３の短軸方向Ｙにおいて互いに対向し（図２参照）、かつ、段差部７２５の液体注入具５の軸を挟んで対向する部分に突出部３６の下端面（係合部）が係合可能なように設けられている（図１０参照）。これにより、液体注入具５からキャップ７を取り外す際、切欠部３３１と段差部７２５との係合を中心に液体注入具５が回転し難くなり、確実にキャップ７を取り外すことができる。
【００６４】
また、各突出部３６の位置は、特に限定されないが、本実施形態では、各突出部３６は、容器３の長軸方向Ｘにおける側壁部３２の端部近傍に配置されている。これにより、液体注入具５からキャップ７を取り外す際は、一方の手指で液体注入具５を把持し、段差部７２５を各突出部３６に係合させた状態で、他方の手指で容器３を確実に押さえることができ、これにより、液体注入具５からキャップ７を容易に取り外すことができる。また、各突出部３６は開口部３５の近傍に配置されている。これにより、使用者は、容易に各突出部３６を認識することができる。また、各突出部３６はキャップ収納空間３８に配置されている。これにより、使用者は、各突出部３６がキャップ７を取り外す際に用いるものであることを容易に把握することができる。
【００６５】
また、容器３は、液体注入具５からキャップ７を取り外す際、液体注入具５の軸と底部３１とが略垂直な状態で、キャップ７の少なくとも段差部７２５よりも先端側の部分を挿入可能なキャップ挿入部３７を有している。このキャップ挿入部３７は、各突出部３６と容器３の長軸方向Ｘに隣接する収納空間３４、すなわち、キャップ収納空間３８に設けられている。
【００６６】
液体注入具５からキャップ７を取り外す際は、図８および図９に示すように、液体注入具５の軸と底部３１とが略垂直な状態で、液体注入具５のキャップ７をキャップ挿入部３７に挿入し、容器３の長軸方向Ｘに各突出部３６に向かって（図９中左側に）移動させる。これにより、図１０および図１２に示すように、各突出部３６の下端面が段差部７２５の液体注入具５の軸を挟んで対向する部分に係合可能となる。このように、液体注入具５からキャップ７を取り外すために、キャップ７をキャップ収納空間３８に挿入し、各突出部３６の下側に段差部７２５を配置する際に、キャップ７で各突出部３６を潰したり、損傷させたりすることを抑制でき、確実に段差部７２５に各突出部３６を係合させることができる。
【００６７】
また、図３、図９および図１０に示すうように、容器３は、キャップ挿入部３７に対し、そのキャップ挿入部３７に挿入されたキャップ７の移動を規制する移動規制部３９を有している。この移動規制部３９は、底部３１に設けられた段差部であり、各突出部３６を挟んで容器３の長軸方向Ｘの反対側へのキャップ７の移動を規制する。すなわち、移動規制部３９は、キャップ７の段差部７２５が各突出部３６に係合していない状態（図８、図９参照）から、液体注入具５が図９中左側に移動し、段差部７２５が各突出部３６に係合可能な状態（図１０参照）のときに、キャップ７に当接し、キャップ７の移動を阻止する。これにより、容易かつ確実に、段差部７２５と各突出部３６とを係合させることができる。
【００６８】
また、容器３の構成材料としては、特に限定されず、例えば、紙、ポリ塩化ビニル、ポリエチレン、ポリプロピレン、ポリスチレン、ポリ−（４−メチルペンテン−１）、ポリカーボネート、アクリル樹脂、アクリルニトリル−ブタジエン−スチレン共重合体、ポリエチレンテレフタレート等のポリエステル、ブタジエン−スチレン共重合体、ポリアミドのような各種樹脂等が挙げられる。
【００６９】
次に、包装組立体１の液体注入具５からキャップ７を取り外す際の操作手順について説明する。
【００７０】
この包装組立体１は、キャップ７の取り外し方法として、キャップ７を把持して先端方向に引き抜く方法の他に、容器３を利用する２通りの方法を有している。液体注入具５の使用者は、その２通りの方法から、いずれか一方を選択することができる。以下、容器３を利用する２通りの方法を順次説明する。
【００７１】
まず、図２に示すように、包装組立体１の包装体２から封止部材４を剥離し、図３に示すように、容器３から液体注入具５を取り出す。
【００７２】
１つ目の方法では、次に、図４および図６に示すように、液体注入具５の軸とフランジ部３３（底部３１）とが略垂直な状態で、キャップ７の段差部７２５を容器３の切欠部３３１に係合させる。なお、段差部７２５に代えて、段差部７２６を切欠部３３１に係合させてもよい。そして、図５および図７に示すように、一方の手指で容器３を押さえつつ、他方の手指で液体注入具５把持して上方に移動させる（手指は不図示）。これにより、液体注入具５からキャップ７が離脱する。
【００７３】
２つ目の方法では、容器３から液体注入具５を取り出した後、図１０および図１２に示すように、キャップ７の段差部７２５を容器３の各突出部３６に係合させる。この場合、まずは、図８および図９に示すように、液体注入具５の軸と底部３１とが略垂直な状態で、液体注入具５のキャップ７をキャップ挿入部３７の各突出部３６よりも図９中右側に挿入し、図９中左側に移動させる。これにより、図１０および図１２に示すように、各突出部３６が段差部７２５に係合可能となる。なお、段差部７２５に代えて、段差部７２６が各突出部３６に係合可能な状態にしてもよい。そして、図１１および図１３に示すように、一方の手指で容器３を押さえつつ、他方の手指で液体注入具５把持して上方に移動させる（手指は不図示）。これにより、各突出部３６が段差部７２５に係合し、液体注入具５からキャップ７が離脱する。
【００７４】
以上説明したように、この包装組立体１によれば、液体注入具５からキャップ７を取り外す際、包装体２の切欠部３３１または各突出部３６に、キャップ７の段差部７２５または７２６５を係合させることにより、高齢者等の握力の弱い人や、リウマチ患者等の手指が不自由な人でもキャップ７を容易かつ確実に取り外すことができる。
【００７５】
また、段差部７２５、７２６は、シリンジ６１胴部６１２の側面よりも外側に突出しているので、容易に、切欠部３３１または各突出部３６に段差部７２５または７２６を係合させることができる。
【００７６】
以上、本発明の包装体および包装組立体を図示の実施形態に基づいて説明したが、本発明は、これに限定されるものではなく、各部は、同様の機能を発揮し得る任意の構成のものと置換することができる。また、任意の構成物が付加されていてもよい。
【００７７】
また、本発明は、前記各実施形態のうちの、任意の２以上の構成（特徴）を組み合わせたものであってもよい。
また、本発明では、切欠部と突出部とのいずれか一方が省略されていてもよい。
【００７８】
また、前記実施形態では、突出部は、ハウジングとキャップとの間に形成された段差部（第１の段差部）と係合することを意図して設けられているが、本発明では、これに限らず、キャップの外周面に形成された段差部（第２の段差部）と係合することを意図して設けられていてもよい。この場合、容器の底部に対して垂直方向における底部から突出部までの距離は、キャップの先端から第２の段差部までの距離以上であればよい。
【００７９】
また、前記実施形態では、包装体は、容器の開口部を封止する封止部材を有しているが、本発明では、これに限らず、例えば、封止部材がなく、容器を収納する収納箱を有する構成でもよい。この場合、収納箱は容器をスライド可能に収納していることが好ましい。なお、包装体は、封止部材と収納箱の両方を有する構成であってもよい。
【００８０】
また、前記実施形態では、キャップは、リムーバーと針シールド部材とで構成されているが、本発明では、これに限らず、例えば、リムーバーが省略されていてもよい。この場合は、針シールド部材の外周面またはハウジングと針シールド部材との間に、胴部の側面よりも外側に突出した段差部が設けられている。
【００８１】
また、前記実施形態では、液体注入具は、オートインジェクタであるが、本発明では、これに限らず、例えば、手動で押し子を押圧して液体を吐出する形態のものであってもよい。
【００８２】
また、前記実施形態では、液体注入具は、シリンジ内に予め薬液が収納されている構成であるが、これに限らず、例えば、シリンジ内に粉末製剤などの固形製剤としての薬剤が収納されていてもよい。この場合には、使用時にシリンジ内に溶解液等の液体を注入し、前記液体に薬剤を溶解してなるものを「薬液」として用いることができる。また、液体注入具は、液体が予め充填されていない形態のものであってもよい。
【産業上の利用可能性】
【００８３】
本発明の包装体は、液体を充填可能な胴部と、前記胴部の先端部に取り付けられ、前記液体を排出する針とを有するシリンジと、前記針を覆うキャップと、前記シリンジの少なくとも基端部を覆うハウジングとを備え、前記キャップの外周面または前記ハウジングと前記キャップとの間に、前記胴部の側面よりも外側に突出した段差部が設けられた液体注入具を収納する包装体であって、
前記液体注入具を収納する収納空間と、前記収納空間から前記液体注入具を取り出すための開口部とを有し、前記開口部を封止する封止部材を取り付け可能な容器を備え、
前記容器は、前記液体注入具から前記キャップを取り外すために前記段差部と係合する係合部を有することを特徴とする。
また、本発明の包装組立体は、本発明の包装体と、
前記収納空間に収納された前記液体注入具とを有し、
前記封止部材により前記開口部が封止されていることを特徴とする。
本発明によれば、オートインジェクタ等の液体注入具からキャップを取り外す際、包装体の係合部にキャップの段差部を係合させることにより、キャップを容易かつ確実に取り外すことができる。また、段差部は、胴部の側面よりも外側に突出しているので、容易に係合部に段差部を係合させることができる。したがって産業上の利用可能性を有する。
【符号の説明】
【００８４】
１              包装組立体
２              包装体
３              容器
３１            底部
３２            側壁部
３３            フランジ部
３３１          切欠部
３４            収納空間
３５            開口部
３６            突出部
３７            キャップ挿入部
３８            キャップ収納空間
３９            移動規制部
４              封止部材
５              液体注入具
６              液体注入具本体
６１            シリンジ
６１１          筒体
６１２          胴部
６１３          縮径部
６２            シリンジホルダ
６３            ハウジング
６４            針カバー
６６            針
６７            ガスケット
７              キャップ
７１            針シールド部材
７１１          針先保護部材
７１２          カバー部材
７２            リムーバー
７２１          外筒
７２２          内筒
７２３          腕部
７２４          爪
７２５、７２６  段差部
【図１】
0006574423.tif 000002
【図２】
0006574423.tif 000003
【図３】
0006574423.tif 000004
【図４】
0006574423.tif 000005
【図５】
0006574423.tif 000006
【図６】
0006574423.tif 000007
【図７】
0006574423.tif 000008
【図８】
0006574423.tif 000009
【図９】
0006574423.tif 000010
【図１０】
0006574423.tif 000011
【図１１】
0006574423.tif 000012
【図１２】
0006574423.tif 000013
【図１３】
0006574423.tif 000014